(57)【特許請求の範囲】
【請求項１】
一方の対角位置の隅部に、一対の取付孔を形成した短尺の底壁部と、該底壁部の左右両端から立設され、それぞれの上端に係止部を形成した一対の側壁部とを有した断面略Ｕ状に形成された折板屋根の取付金具であって、
上記底壁部は、上記一対の取付孔にネジ、釘、ボルト等の固定具を貫通させて折板屋根の下地等に固定されてから、上記一対の側壁部の係止部の各々に、２枚の折板屋根の各々の被係止部を係止させるようにしている折板屋根の取付金具。
【請求項２】
請求項１に記載された折板屋根の取付金具と、係止爪を設けたカバー体とを用いた折板屋根の取付構造であって、
上記取付金具を、その底壁部の上記一対の取付孔にネジ、釘、ボルト等の固定具を貫通させて折板屋根の下地等に固定した後、該取付金具の上記一対の側壁部の係止部の各々に、２枚の折板屋根の各々の被係止部を係止させ、該取付金具の上方から、上記カバー体を、２枚の折板屋根に形成された被係止部を挟持するように被覆して、該カバー体の係止爪を上記取付金具の上記係止部に係合させている折板屋根の取付構造。
【発明の詳細な説明】
【０００１】
【発明の属する技術分野】
本発明は、折板屋根の取付金具及びこれを用いた折板屋根の取付構造に関する。
【０００２】
【従来の技術】
図３は、従来の折板屋根の取付金具及びこれを用いた折板屋根の取付構造を示す使用状態図である。
【０００３】
この取付金具１００は、折板屋根Ｙの下地Ｓに固定される底壁部１０１と、この底壁部１０１の左右両端から立設された一対の側壁部１０２と、これら側壁部１０２の上端に形成された折板屋根Ｙの被係止部Ｙ１を係止可能な係止部１０３とから成る一本の長尺な断面略Ｕ溝状に形成されている。
【０００４】
また、底壁部１０１には、これを下地Ｓに固定するための複数の取付孔１０４が適宜間隔をあけて形成している。
【０００５】
このような構造の取付金具１００は、ネジ、釘、ボルト等の固定具を底壁部１０１の取付孔１０４に貫通して、これを折板屋根Ｙの下地Ｓに固定する。
【０００６】
次に、下地Ｓに固定された取付金具１００の両側から、折板屋根Ｙの側端に形成された被係止部Ｙ１を係止部１０３に各々係止する。
【０００７】
そして、内側に弾性付勢された逆樋状のカバー体Ｋを上方から嵌装すると、カバー体Ｋの両下端に形成された係止爪部Ｋ１が、折板屋根Ｙの被係止部Ｙ１を挟んで、係止部１０３に係止する。
【０００８】
そのため、隣接する折板屋根Ｙ、Ｙに位置された取付金具１００は、目隠しされた状態でカバー体Ｋによって被覆される。
【０００９】
【発明が解決しようとする課題】
しかしながら、このような取付金具１００は、長尺な大型のものであるため、作業現場での取り扱いが不便であるうえ、その作業時間もかかり、また、製造に際しても高コストであるという問題もあった。
【００１０】
本発明は、かかる課題を解決することを目的とするもので、取り扱いを容易にして、作業時間を短縮でき、しかも安価に製造可能な折板屋根の取付金具及びこれを用いた折板屋根の取付構造を提供する。
【００１１】
【課題を解決するための手段】
上記目的を達成するために、
請求項１に記載の折板屋根の取付金具は、一方の対角位置の隅部に、一対の取付孔を形成した短尺の底壁部と、該底壁部の左右両端から立設され、それぞれの上端に係止部を形成した一対の側壁部とを有した断面略Ｕ状に形成された折板屋根の取付金具であって、上記底壁部は、上記一対の取付孔にネジ、釘、ボルト等の固定具を貫通させて折板屋根の下地等に固定されてから、上記一対の側壁部の係止部の各々に、２枚の折板屋根の各々の被係止部を係止させるようにしている。
【００１２】
このものでは、底壁部を短尺に形成しているので、作業現場等での取り扱いを容易して作業時間を短縮できるうえ、製造コストをも安価にできる。
【００１３】
また、底壁部の一方の対角位置の隅部には、一対の取付孔が形成されているので、これにネジ、ボルト等の固定具を貫通して締め付けるだけで、効果的且つ強固に固定でき、従って取付金具を下地に対して、簡単且つ確実に固定できる。
【００１４】
請求項２に記載の折板屋根の取付構造は、請求項１に記載された折板屋根の取付金具と、係止爪を設けたカバー体とを用いた折板屋根の取付構造であって、上記取付金具を、その底壁部の上記一対の取付孔にネジ、釘、ボルト等の固定具を貫通させて折板屋根の下地等に固定した後、該取付金具の上記一対の側壁部の係止部の各々に、２枚の折板屋根の各々の被係止部を係止させ、該取付金具の上方から、上記カバー体を、２枚の折板屋根に形成された被係止部を挟持するように被覆して、該カバー体の係止爪を上記取付金具の上記係止部に係合させている。
【００１５】
このものでは、取付金具は、折板屋根の下地に間隔をあけて複数固定されるので、折板屋根の支持強度を維持しながら、製造コストを安価にできる。
【００１６】
また、底壁部の一方の対角位置の隅部には、一対の取付孔が形成されているので、これにネジ、ボルト等の固定具を貫通して締め付けるだけで、効果的且つ強固に固定でき、従って取付金具を下地に対して、簡単且つ確実に固定できる。
【００１７】
【発明の実施の形態】
以下、本発明に係る折板屋根の取付金具及びこれを用いた折板屋根の取付構造を図面とともに説明する。
【００１８】
図１は、本発明の取付金具を用いた折板屋根の取付構造を示す使用状態図である。
【００１９】
この取付金具１０は、折板屋根Ｙの下地Ｓに固定される短尺の底壁部１と、この底壁部１の左右両端から立設された一対の側壁部２と、これら側壁部２の上端に形成された折板屋根Ｙの被係止部Ｙ１を係止可能な係止部３とから成り、その全体は、断面略Ｕ状に形成されてなる。
【００２０】
この底壁部１の一方の対角位置の隅部には、ボルト、ネジ、釘等の固定具５が貫通される一対の取付孔４が形成されている。
【００２１】
また、一方の係止部３から他方の係止部３にかけて、複数条の補強用リブを形成すれば、その強度を高めることができる。
【００２２】
なお、これら底壁部１、側壁部２及び係止部３の形状は、下地Ｓの構造や折板屋根Ｙの形状に合わせて形成され、これに限定されない。
【００２３】
図２（ａ）〜（ｃ）は、本発明の折板屋根の取付金具を用いた折板屋根の概略施工図である。
【００２４】
ここで、図１と共通する部位には、共通の符号を付し、その説明は省略する。
【００２５】
以下、これら図１、図２に基づき、本発明の取付金具１０を用いた折板屋根Ｙの取付構造を説明する。
【００２６】
上記のように構成した取付金具１０は、その底壁部１の取付孔４にボルト、ネジ、釘等の固定具５を貫通するか又は溶接する等して、底壁部１を折板屋根Ｙの下地Ｓの適所に固定する。
【００２７】
同様にして、この固定された取付金具１０と一定間隔をあけた軒棟方向に、他の取付金具１０’を同一線上に固定し、以下同様にして複数の取付金具１０、１０’…を下地Ｓに固定して行く（図１、図２（ａ）参照）。
【００２８】
次に、図２（ｂ）に示すように、固定された取付金具１０、１０’…の一方或いは両側方から折板屋根Ｙの側端に形成された被係止部Ｙ１を係止部３に各々係止する。
【００２９】
なお、この折板屋根Ｙの下面には、断熱材等を固着しても構わない。
【００３０】
そして、図２（ｃ）に示すように、内側に弾性付勢された逆樋状のカバー体Ｋを上方から嵌装するとカバー体Ｋの両下端に形成された係止爪部Ｋ１が、折板屋根Ｙの被係止部Ｙ１を挟んで、係止部３に係止する。
【００３１】
そのため、隣接する折板屋根Ｙ、Ｙに位置された取付金具１０、１０’…は、目隠しされた状態でカバー体Ｋによって被覆される。
【００３２】
なお、図１で示すように、この取付けられた取付金具１０及びカバー体Ｋの軒側には、これらを目隠しするための面戸化粧カバーＭ１或いは、折板屋根Ｙの下面に設けられた上記断熱材等を目隠しするための面戸カバーＭ２を設ければ、和風感のある意匠的効果を得ることもできる。
【００３３】
【発明の効果】
本発明によれば、次のような効果がある。
【００３４】
請求項１に係る折板屋根の取付金具によれば、底壁部を短尺に形成しているので、作業現場等での取り扱いを容易して作業時間を短縮できるうえ、製造コストをも安価にできる。
【００３５】
また、底壁部の一方の対角位置の隅部には、一対の取付孔が形成されているので、これにネジ、ボルト等の固定具を貫通して締め付けるだけで、効果的且つ強固に固定でき、従って取付金具を下地に対して、簡単且つ確実に固定できる。
【００３６】
請求項２に係る折板屋根の取付構造によれば、取付金具は、折板屋根の下地に間隔をあけて複数固定されるので、折板屋根の支持強度を維持しながら、製造コストを安価にできる。
【００３７】
また、底壁部の一方の対角位置には、一対の取付孔が形成されているので、これにネジ、ボルト等の固定具を貫通して締め付けるだけで、効果的且つ強固に固定でき、従って取付金具を下地に対して、簡単且つ確実に固定できる。
【図面の簡単な説明】
【図１】  本発明の取付金具を用いた折板屋根の取付構造を示す使用状態図
【図２】  （ａ）〜（ｃ）は、本発明の折板屋根の取付金具を用いた折板屋根の概略施工図
【図３】  従来の折板屋根の取付金具及びその取付構造を示す使用状態図
【符号の説明】
Ｙ    折板屋根
Ｙ１  被係止部
Ｋ    カバー体
Ｓ    下地
１０  取付金具
１    底壁部
２    側壁部
３    係止部
４    取付孔
【図１】
0003983529.tif 000002
【図２】
0003983529.tif 000003
【図３】
0003983529.tif 000004